(57)【要約】【課題】キャップを外筒に装着する際、キャップの先端開口部が外筒を覆う前に、キャップの内部に位置する前記取付ブロックの先端部が消しゴムやその消しゴムを保持する消しゴムホルダーなどに当接してしまい、前記のキャップの外筒に対する挿着操作が煩わしいものとなってしまっていた。【解決手段】前軸と後軸とからなる軸筒の内部に筆記体が配置された筆記具であって、前記後軸の内側に筆記体と着脱自在に嵌合する嵌合筒部を設けると共に、前記前軸の外径と後軸の内径との差よりも、筆記体の外径と嵌合筒部の内径との差の方が大である筆記具。【選択図】　図１
2004058522.tif 000002
【特許請求の範囲】
【請求項１】
前軸と後軸とからなる軸筒の内部に筆記体が配置された筆記具であって、前記後軸の内側に筆記体と着脱自在に嵌合する嵌合筒部を設けると共に、前記前軸の外径と後軸の内径との差よりも、筆記体の外径と嵌合筒部の内径との差の方が大であることを特徴とする筆記具。
【請求項２】
前記筆記体をシャープペンシルユニットにすると共に、そのシャープペンシルユニットの芯タンクの後部に消しゴムを着脱自在に取り付け、また、その芯タンクに前記後軸の嵌合筒部を嵌合させたことを特徴とする請求項１記載の筆記具。
【請求項３】
前軸と後軸とからなる軸筒の内部に筆記体が配置された筆記具であって、前記後軸の内側に筆記体と着脱自在に嵌合する嵌合筒部を設けると共に、前記前軸の外径と後軸の内径との差と、筆記体の外径と嵌合筒部の内径との差をほぼ同等にすると共に、前記前軸の後端部と筆記体の後端部をほぼ同等な位置にしたことを特徴とする筆記具。
【発明の詳細な説明】
【０００１】
【発明の属する技術分野】
本発明は、前軸と後軸とからなる軸筒の内部に筆記体が配置された筆記具に関する。
【０００２】
【従来の技術】
１例として、実開昭５７−１２１５９４号公報がある。その公報には、外筒２の後端から突出した芯ケース８の後端に取付ブロック４が外冠せしめられ、その取付ブロック４に前記外筒２の後端部を覆うまで延設形成されたキャップ１が取り付けられた、筆記具のノック受台兼用クリップ取付具が開示されている。そして、前記取付ブロック４の先端部９は、芯ケース８に形成された環状突起１０に当接しており、その取付ブロック４の外筒２側への移動が規制されている。
【０００３】
【発明が解決しようとする課題】
しかし、前記従来技術にあっては、キャップ１を外筒２に装着する際、キャップ１の先端開口部が外筒２を覆う前に、キャップ１の内部に位置する前記取付ブロック４の先端部９が消しゴムやその消しゴムを保持する消しゴムホルダーなどに当接してしまい、前記のキャップ１の外筒２に対する挿着操作が煩わしいものとなってしまっていた。また、キャップ１内の取付ブロック４によって芯ケース８に外冠する構成する物においては、キャップ１と外筒２が曲がった状態で嵌合操作を行ってしまう場合があり、取付ブロック４はおろか、消しゴムなども破損させてしまう危険性があった。
【０００４】
【課題を解決するための手段】
本発明は、前軸と後軸とからなる軸筒の内部に筆記体が配置された筆記具であって、前記後軸の内側に筆記体と着脱自在に嵌合する嵌合筒部を設けると共に、前記前軸の外径と後軸の内径との差よりも、筆記体の外径と嵌合筒部の内径との差の方が大であることを要旨とする。
【０００５】
【作用】
前軸が外軸によって案内された後に、前軸と筆記体との嵌合が開始される。
【０００６】
【実施例】
軸筒１は、前軸２と後軸３から構成されている。その前軸２には、筆記体であるシャープペンシルユニット４が固定されているが、そのシャープペンシルユニット４の後端は前軸２の後部に固定されたガイドパイプ５の後端から突出している。
【０００７】
次に、前記シャープペンシルユニット４について説明する。芯タンク６の後部には、消しゴム７を着脱自在に取り付ける消しゴム受け筒８が固定されているが、前記消しゴム７は消しゴムホルダー９に保持されており、実質的には、この消しゴムホルダー９が前記消しゴム受け筒８に対して着脱自在なものとなっている。
一方、前記芯タンク６の前方には、２つの継ぎ手部材１０、１１を介して、芯の把持・開放を行うチャック体１２が連結されている。そのチャック体１２の前方外周部には、チャック体の開閉を行うチャックリング１３が囲繞している。符号１４は、前記前軸２に連結部材１５によって連結された先部材であるが、その先部材１４の内部には芯の後退を阻止するゴム状の弾性体からなる芯戻り止め部材１６が取り付けられている。また、符号１７は、前記の構成からなるシャープペンシルユニット４を後方に付勢するコイルスプリングなどの弾撥部材であって、前記連結部材と継ぎ手部材１０との間に張設されている。符号１８は、前記先部材１４の先端に固定された金属製の芯保護管であるが、その芯保護管を前記先部材と射出成形などの手段によって一体形成しても良い。
【０００８】
次に、前記後軸３について説明する。その後軸３の前方には、装飾が施された飾りリング１９が固定されているが、その飾りリング１９の内面には、後方に向かい縮径する円錐部２０が形成されている。また、後軸３の前方部分（飾りリング１９）は、前記前軸２の後方部を覆うように延設形成されているが、その前軸２の外面に直接当接するのではなく、前軸２の後部に取り付けられたリング部材２１に当接している。即ち、このリング部材２１が、後軸３の前軸２に対する振れを止める手段となっている。
また、後軸３の内部には、内面後部からほぼ中央部まで延設された嵌合筒部材２２が固定されている。具体的には、クリップ２３の取付部２４を挟持した状態で、頭冠２５によって後軸３に固定させられている。そして、その嵌合筒部材２２の内面前方には、前記消しゴム受け筒８に対して着脱自在に外嵌する弾性筒状部材２６が固定されているが、その弾性値筒状部材２６は、前記ガイドパイプ５の後端部とほぼ同様な位置関係にある。ここで、前記嵌合筒部材２２の前方部は、前記ガイドパイプ５内に位置しており、また、嵌合筒部材２２の先端部は、前記消しゴム受け筒８の周状段部２７に当接している。即ち、この当接によって、嵌合筒部材２２（後軸３）の前方への移動が規制される。
【０００９】
ここで、前記飾りリング１９の内径Ａとガイドパイプ５の外径Ｂとの差よりも、嵌合筒部材２２の内径Ｃと消しゴム７の外径Ｄとの差の方が大きく設定されている。後軸３を前軸２に嵌合させる際、実質的には、嵌合筒部材２２の弾性筒状部材２６を消しゴム受け筒８に嵌合させる際、嵌合筒部材２２先端の消しゴム７の頂部や側面への当接・接触を防止しているのである。
以下、その動作について詳述する。図２の状態から、後軸３を前軸２に嵌合させようとすると、最初に、飾りリング１９の先端側内径がガイドパイプ５の後端部に入る（図３参照）。更に嵌合操作を続けると、飾りリング１９の円錐部２０がガイドパイプ５の頂部に当接し（図４参照）、後軸３と前軸２との軸線が矯正し始められる（図５参照）。この時、前述したように、前記飾りリング１９の内径Ａとガイドパイプ５の外径Ｂとの差よりも、嵌合筒部材２２の内径Ｃと消しゴム７の外径Ｄとの差の方が大きく設定されているので、嵌合筒部２２の先端は消しゴム７に当接することなく、スムーズに前進する。ここで、更に嵌合操作を続けると、嵌合筒部材２２の先端部が消しゴム受け筒８の後端部で案内され（図６参照）、その案内状態を保ちながら嵌合し始める（図７）。やがて、嵌合筒部材２２の弾性筒状部材２６が消しゴム受け筒８に嵌合し、また、嵌合筒状部材２２の先端部が消しゴム受け筒８の周状段部２７に当接し、嵌合操作が規制される（図８参照）。
【００１０】
第２例を図９に示し説明する。前記前軸の外径と後軸の内径との差と、筆記体の外径と嵌合筒部の内径との差をほぼ同等にすると共に、前記前軸の後端部と筆記体の後端部をほぼ同等な位置にした例である。前軸２に連結するガイドパイプ２８は、前例に比し、更に後方に向けて延設形成されており、その後端部を前記消しゴム受け筒８の後端部と同等な位置としている。この様な構成とすることによって、後軸の飾りリング部におけるガイドパイプ２８との案内が、前例に比し早期に行われる。よって、前軸の外径と後軸の内径との差と、筆記体の外径と嵌合筒部の内径との差をほぼ同等にしても、本発明の効果を得ることができるようになる。
【００１１】
【発明の効果】
本発明は、前軸と後軸とからなる軸筒の内部に筆記体が配置された筆記具であって、前記後軸の内側に筆記体と着脱自在に嵌合する嵌合筒部を設けると共に、前記前軸の外径と後軸の内径との差よりも、筆記体の外径と嵌合筒部の内径との差の方を大としたので、容易に、しかも確実に前軸と後軸とを嵌合させることができる。
【図面の簡単な説明】
【図１】本発明の第１例を示す縦半断面図。
【図２】嵌合動作を示す要部縦断面図。
【図３】嵌合動作を示す要部縦断面図。
【図４】嵌合動作を示す要部縦断面図。
【図５】嵌合動作を示す要部縦断面図。
【図６】嵌合動作を示す要部縦断面図。
【図７】嵌合動作を示す要部縦断面図。
【図８】嵌合動作を示す要部縦断面図。
【図９】第２例を示す要部縦断面図。
【符号の説明】
１　　　軸筒
２　　　前軸
３　　　後軸
４　　　シャープペンシルユニット
５　　　ガイドパイプ
６　　　芯タンク
７　　　消しゴム
８　　　消しゴム受け筒
９　　　消しゴムホルダー
１０　　　継ぎ手部材
１１　　　継ぎ手部材
１２　　　チャック体
１３　　　チャックリング
１４　　　先部
１５　　　連結部材
１６　　　芯戻り止め部材
１７　　　弾撥部材
１８　　　芯保護管
１９　　　飾りリング
２０　　　円錐部
２１　　　リング部材
２２　　　嵌合筒部材
２３　　　クリップ
２４　　　取付部
２５　　　頭冠
２６　　　弾性筒状部材
２７　　　周状段部
２８　　　ガイドパイプ
【図１】
2004058522.tif 000003
【図２】
2004058522.tif 000004
【図３】
2004058522.tif 000005
【図４】
2004058522.tif 000006
【図５】
2004058522.tif 000007
【図６】
2004058522.tif 000008
【図７】
2004058522.tif 000009
【図８】
2004058522.tif 000010
【図９】
2004058522.tif 000011